(57)【要約】【課題】換気フィンに通気用の開口を設けると共に日光の入射を遮蔽し、開口を外部から見えないようにして美観を向上させる。【解決手段】換気フィン４は、建物１の壁面２から屋外側に張り出す中空の突出部７を備えた。突出部７は、略三角形状をなす両側面１２，１３に開口１４，１５と、通気を許容して開口１４，１５を覆う羽根部２２、２３を備えた。突出部７の内部には中空部分を仕切る仕切板１７を設け、仕切板１７と側面１２，１３との間に内外の空気を流通させる空間Ｋ１と空間Ｋ２を設けた。突出部７の両側面１２，１３に配列した開口１４，１５を先端部２２ｂ、２３ｂでそれぞれ覆う羽根部２２、２３は、側面１２、１３に対して基部６側に向けて鋭角をなすように互いに略平行に配列した。【選択図】図２
2018054260.tif 000002
【特許請求の範囲】
【請求項１】
建物に連結されていて屋外側に張り出す中空の突出部と、
前記突出部内に設けていて中空の部分を仕切る仕切部とを備え、
前記突出部には、前記仕切部の両側に設けていて内外の空気を通気させる開口と通気を許容して前記開口を覆う羽根部とを備えたことを特徴とする換気フィン。
【請求項２】
前記突出部は前記仕切部の両側に前記開口を配列した側面をそれぞれ形成し、
前記羽根部は前記建物側に向けて前記側面と鋭角をなすように互いに平行に配列している請求項１に記載された換気フィン。
【発明の詳細な説明】
【技術分野】
【０００１】
本発明は、建物の屋内外を通気して自然換気可能な換気フィンに関する。
【背景技術】
【０００２】
従来、建物の外壁の方立に突出して設けた例えばフィン形状で縦長の換気フィンが知られている。このような換気フィンとして、例えば特許文献１に記載されたものが提案されている。
この換気フィンは建物の壁面に連結して外側に突出する断面略弾丸型で中空の屋外側張出部が上下方向に延びる縦型に形成されている。この屋外側張出部はその左右方向の一方の側面に外気取り入れ口を設けており、他方の側面は壁面とされている。しかも、外気取り入れ口は屋外側張出部の先端側傾斜面に形成され、外気取り入れ口の仕切部分には風誘導突条が形成されている。
【０００３】
そして、屋外側張出部の基端側に設けた中空の方立本体部には通風口を介して屋内に連通する流路が形成されている。方立本体部には開閉可能な外気流入量調整板が設置され、無風や微風では開放状態にあり、強風時には外気流入量調整板を回動して通風口を閉塞するようにしている。また、左右の壁面に沿って吹き込む横風と壁面の正面から吹き込む風の両方を外気取り入れ口から取り入れることができるとしている。
【先行技術文献】
【特許文献】
【０００４】
【特許文献１】特開２００９−１９２１９６号公報
【発明の概要】
【発明が解決しようとする課題】
【０００５】
しかしながら、特許文献１に記載された換気フィンは屋外側張出部の表面に外気取り入れ口が露出していて外部から見える形状になっているため、建物の美観に良い影響を与えていなかった。
また、屋外側張出部を設けずに平坦な面に外気取り入れ口を設けてカバーを設置した場合でも日射遮蔽効果が得られなかった。
【０００６】
本発明は、上述した課題に鑑みてなされたものであり、通気用の開口を設けると共に太陽光の入射を遮蔽する特性を有し、更に開口を外部から見えないようにして建物の美観を向上させるようにした換気フィンを提供することを目的とする。
【課題を解決するための手段】
【０００７】
本発明に係る換気フィンは、建物に連結されていて屋外側に張り出す中空の突出部と、突出部内に設けていて中空の部分を仕切る仕切部とを備え、突出部は、仕切部の両側に設けていて内外の空気を通気させる開口と、通気を許容して開口を覆う羽根部とを備えたことを特徴とする。
本発明によれば、突出部に開口と開口の通気を許容して覆う羽根部とを設けたため、内外の空気を開口を通して通気でき、建物の美観を損なうことがない。しかも、突出部の両側に開口を設けることができて換気効率が高く、突出部の両側の開口から流通する空気を仕切部の両側でそれぞれ屋内側に誘導することができる。
【０００８】
また、突出部は仕切部の両側に開口を配列した側面をそれぞれ形成し、羽根部は建物側に向けて側面と鋭角をなすように互いに平行に配列していてもよい。
これによって突出部の両側面の各開口をそれぞれ羽根部で覆うと共に羽根部が平行に配列されているから、外観上の美観を向上できる。
【発明の効果】
【０００９】
本発明に係る換気フィンによれば、建物から屋外側に張り出していて内部を仕切部で仕切った突出部に、外気を通気させる開口と、通気を許容して開口を覆う羽根部とを備えたため、開口を通して屋内外の換気を行える。しかも、突出部に形成した開口を羽根部で外部から見えないようにしたため建物の美観を損なうことがない。
【図面の簡単な説明】
【００１０】
【図１】本発明の実施形態による建物の壁面の方立部分から突出する換気フィンを示す水平断面図である。
【図２】図１に示す換気フィンの拡大断面図である。
【図３】図２に示す換気フィンを構成する各部材の要部側面図であり、（ａ）は基部の開口を示すＡ方向矢視図、（ｂ）は仕切り板を示すＢ方向矢視図、（ｃ）は換気フィンの片側の側面における開口と羽根部を示すＣ方向矢視図である。
【発明を実施するための形態】
【００１１】
以下、本発明の実施形態による換気フィンについて図１乃至図３に基づいて説明する。
図１に示す建物１はその外壁をなす壁面２に所定間隔で上下方向に延びる方立３が設置され、方立３の外側に屋外側に突出する換気フィン４が傾斜して取り付けられている。この換気フィン４は水平断面視で例えば略三角形状をなして外側に突出し且つ上下方向に長く延びて形成され、外気を取り入れると共に屋内の空気を外部に排気する換気を行える。
【００１２】
換気フィン４は、建物の壁面２の方立３に連結した中空の基部６から外側に突出する中空の突出部７を備えている。基部６は壁面２と方立３に連結されていて屋外側に張り出している中空構造であり、その基端側は外気を屋内に取り入れたり屋内の空気を排気したりする通路９を構成している。
支持板１０を長手方向の側面視で見ると図３（ａ）に示すように、上下方向に延びていて所定間隔で通気用の中央開口１０ａが形成されている。
【００１３】
図２及び図３に示す換気フィン４において、支持板１０に固定された突出部７は、支持板１０に対して一対の側面１２，１３が先端側で互いに近接するように断面略二等辺三角形状に形成されている。各側面１２，１３は略同一幅に形成され且つ上下方向に延びた長板形状とされている。
各側面１２，１３には屋内外を連通する開口１４，１５が所定間隔で水平方向にそれぞれ形成されている。しかも、側面１２，１３は上下方向に延びていて所定間隔をおいて開口１４，１５が上下方向にそれぞれ形成されている。
【００１４】
また、図２に示す例では、各側面１２，１３の基端部は内側に屈曲してボルトナット等で支持板１０に固定されている。しかも、側面１２，１３の屈曲した基端部は支持板１０の中央開口１０ａを避けた位置で支持板１０にボルトナット等で固定されている。
支持板１０の中央部には各側面１２，１３の開口１４，１５間で外気の連通を遮るように仕切板１７が仕切部として設置されている。仕切板１７の一端部が側面１２，１３の基部側屈曲部で挟まれていて他端部は側面１２、１３の先端部で挟まれてその先端側に突出して先端頭部１７ａを設けている。仕切板１７の先端頭部１７ａには一対の略板状の羽根部２０、２１がボルトナット等によって断面略ハの字状に連結されている。
【００１５】
図３（ｂ）に示すように、仕切板１７と基部６の側面の連結部は同一形状で下端から上端まで上下方向に延びている。突出部７の中央部に仕切板１７を設置することで、一方の側面１２と仕切板１７との間の空間Ｋ１、他方の側面１３と仕切板１７との間の空間Ｋ２に分割できる。
そのため、側面１２の開口１４から流入する外気は空間Ｋ１を通って通路９に、側面１３の開口１５から流入する外気は空間Ｋ２を通って通路９に流れる。
【００１６】
また、一対の側面１２、１３にそれぞれ設けた各開口１４、１５の先端側にはそれぞれ開口１４，１５を覆って壁面２側に突出する羽根部２２，２３が設置され、羽根部２２，２３の支持部２２ａ、２３ａにはボルト２４の頭部を内蔵している。ボルト２４の軸部は側面１２，１３を貫通して内側にそれぞれ突出し、その他端側をナット２５で締め込むことで側面１２、１３に固定している。
なお、側面１２の開口１４を覆うように先端側に向けて配列された羽根部２２と、側面１３の開口１５を覆うように先端側に向けて配列された羽根部２３とは、最も先端側でボルト２４の軸部同士が仕切板１７に形成した穴内に接近して位置している。
【００１７】
そして、各羽根部２２は、一方の側面１２の所定間隔で形成した各開口１４を先端部２２ｂで覆うと共に先端部２２ｂが互いに略平行に配設され、開口１４を通した通気を妨げない。各羽根部２３は、同様に他方の側面１３の所定間隔で形成した各開口１５を先端部２３ｂで覆うと共に先端部２３ｂが互いに略平行に配設され、開口１５を通した通気を妨げない。
そのため、各羽根部２２、２３はボルト２４の頭部を内蔵する支持部２２ａ、２３ａと支持部２２ａ、２３ａの外面の延長面上に延びて開口１４，１５を覆う先端部２２ｂ、２３ｂとを有している。これら複数の支持部２２ａ、２３ａの外面とその延長上の先端部２２ｂ、２３ｂは互いに平行に形成され、且つ支持部２２ａ、２３ａの外面は側面１２，１３に対して鋭角をなすように建物１側に向けて外側に広がる形状を有している。
【００１８】
そのため、図３（ｃ）に示すように、突出部７における一対の側面１２、１３に複数設けた羽根部２２、２３は、側面１２、１３に所定間隔で上下方向に形成した開口１４，１５を覆って外部から見えないように配列されている。図３（ｃ）では、説明の理解を助けるために、羽根部２２または羽根部２３の隙間から開口１４，１５等が見えているが、実際には図２の断面図で示すように、開口１４，１５は各羽根部２２または各羽根部２３で覆われて隠れ、外部から目視できない。
【００１９】
しかも、本実施形態による換気フィン４は、図２に示すように、一方の側面１２が基部６の短い側壁６ｂと略平行に延びるように設置した。そのため、他方の側面１３と仕切板１７は一方の側面１２側に若干傾斜しており、突出部７が壁面２に直交する方向に対して水平方向に若干傾斜して保持されている。
また、各側面１２，１３に設けた最も壁面２側の羽根部２２、２３の先端部２２ｂ、２３ｂは支持板１０の各端部を覆うように配置してもよい。
【００２０】
また、換気フィン４の壁面２側において、中空の基部６の屋内側には通気を制限する外気流入調整板２６が通路９の屋内側と側壁６ｂ側との間で回動可能とされており、外気流入調整板２６が側壁６ｂ側に位置する場合には、換気フィン４の各側面１２、１３の開口１４、１５から通路９を流れる外気や屋内の空気の流通を妨げない。そして、強風が開口１４、１５から吹き込んだ場合には通路９から屋内に流入しようとする強風によって外気流入調整板２６が回動させられ、通路９の通気を制限することになる。
【００２１】
本実施形態による換気フィン４は上述した構成を備えているから、外部から外気が流入する場合には、突出部７の側面１２、１３に配列させた複数の羽根部２２、２２間の空間、羽根部２３、２３間の空間を介して開口１４，１５を通って突出部７内に流入する。そして、各開口１４、１５を通って流入した外気は仕切板１７で仕切られた突出部７内の各空間Ｋ１，Ｋ２から基部６の通路９を通って屋内に流入する。側面１２、１３の間に仕切板１７を設けたため、開口１４、１５を通った外気が対向位置に設けた他方の開口１５、１４を通って外部に直接排出されることがない。
また、逆に屋内の空気も通路９から突出部７の各開口１４，１５を通って外部に放出される。
【００２２】
また、外部から台風等で強風が吹きつけたとしても、各側面１２，１３の開口１４，１５を羽根部２２，２３の先端部２２ｂ、２３ｂが覆うように配設したため、直接強風が開口１４，１５から侵入することを抑制できる。更に、建物１の壁面２に沿って流れる風は、換気フィン４における側壁６ａ、６ｂに衝突して支持板１０の側縁部で外側に逃げるため、開口１４，１５に直接流入することを低減できる。
一方、壁面２に直交する方向の強風についても、断面略二等辺三角形状をなす突出部７のテーパ形状の側面１２，１３や羽根部２２、２３によって外側に拡散して流れるため、開口１４，１５に直接流入することを低減できる。更に、開口１４，１５を覆うように羽根部２２、２３を設置したため、外部から開口１４，１５を目視できないので建物の美観を損ねることがない。
【００２３】
上述のように本実施形態による換気フィン４によれば、建物１の壁面２から突出する突出部７を上下方向(縦方向)に延在させ、突出部７の各側面１２，１３の開口１４，１５を通して外気と屋内の空気を互いに通気できる。しかも開口１４，１５から流入する空気は仕切板１７によって個別に屋内に導かれる。
更に、羽根部２２、２３の先端部２２ｂ、２３ｂによって、換気フィン４の外部から開口１４，１５内が見えないので建物１の美観が損なわれず、開口１４，１５を通して外部から屋内を目視できないので建物１の環境性能の向上がなされる。
【００２４】
なお、本発明による換気フィン４は上述の実施形態に限定されるものではなく、その要旨を逸脱しない範囲で種々の変更や置換等が可能である。以下に変形例について上述した実施形態と同一または同様な部分、部材には同一の符号を用いて説明する。
【００２５】
例えば、上述した実施形態では、換気フィン４の突出部７を建物１の壁面２に対して一方側に傾斜させて構成したが、本発明における突出部７は水平方向の一方側に傾斜させて保持する必要はない。例えば、突出部７を壁面２に略直交する方向に保持してもよい。或いは、突出部７を反対側に傾斜させて保持してもよい。
換気フィン４の両側面１２、１３に開口１４，１５を備えた突出部７をいずれかの水平方向に傾斜させて保持することで、開口１４，１５からの外気の流入しやすい向きとし難い向きを選択できて通気性を調整できる。
【符号の説明】
【００２６】
１  建物
２  壁面
４  換気フィン
７  突出部
１０  支持板
１２、１３  側面
１４、１５  開口
１７  仕切板
２０、２１、２２、２３  羽根部
２２ａ、２３ａ  支持部
２２ｂ、２３ｂ  先端部
【図１】
2018054260.tif 000003
【図２】
2018054260.tif 000004
【図３】
2018054260.tif 000005